(57)【要約】【課題】上下パレットとスリーブを連結、分離するためのジョイント手段の操作が容易で、ジョイント手段をパレットに容易に装着でき、効率良く組立て、分解作業を行えると共に低コストで提供可能な組立て式コンテナを提供する。【解決手段】スリーブ２の上下縁部にジョイント本体７を固定すると、スリーブの上下縁部から挿入子８が突出する。上下パレット１，１’の周縁部１ａ，１ａ’間にスリーブ２を立ち上げると、挿入子８が挿入孔４に挿入され、先端部８ａが周縁部外側に突出する。上パレット１の周縁部上側、下パレット１’の周縁部下側に突出する挿入子先端部８ａに係止片１９を係合させれば抜けが防止され、上下パレット１，１’の周縁部間にスリーブ２を立ち上げた連結状態（コンテナの組立て状態）が維持される。係止片１９を挿入子先端部８ａから外して挿入孔４から抜けば、上下パレット１，１’とスリーブ２の連結が解除され、コンテナが分解される。【選択図】  図３
2006199349.tif 000002
【特許請求の範囲】
【請求項１】
天井部と底壁部を構成する上下一対のパレットの周縁部間にスリーブを立ち上げると共に、該スリーブの上下の縁部を前記上下のパレットの周縁部に、ジョイント部材で着脱自在に連結してなる組立て式コンテナであって、
前記ジョイント部材が、前記スリーブの上下の縁部に固定されるジョイント本体と、該ジョイント本体から突出して前記上下のパレットの周縁部に設けた挿入孔に挿入される挿入子と、該挿入子における前記挿入孔の外側に突出する先端部に係脱自在に係合して該挿入子の抜けを防止する係止手段と、を備えたことを特徴とする組立て式コンテナ。
【請求項２】
前記ジョイント本体が、前記スリーブの内面に沿う内面板と、該内面板の端部に折り曲げ自在に連設され前記スリーブの上端面又は下端面に沿う端面板と、該端面板の端部に折り曲げ自在に連設され前記スリーブの外面に沿う外面板と、前記内面板と外面板の対向箇所に突設され、前記スリーブに設けた開口部内で嵌合して前記ジョイント本体を前記スリーブの上下縁部に固定する凹凸係合手段と、からなり、
前記挿入子が、前記端面板に突設されていることを特徴とする請求項１記載の組立て式コンテナ。
【請求項３】
前記係止手段が、前記外面板の端部に折り曲げ自在に連設された連設板と、該連設板の端部に連設され前記挿入子の先端部に係脱自在に弾性係合する係止片からなることを特徴とする請求項２記載の組立て式コンテナ。
【請求項４】
前記上下のパレットと前記ジョイント部材が硬質合成樹脂からなり、前記スリーブが多層段ボールからなることを特徴とする請求項１〜３の何れか１項記載の組立て式コンテナ。
【発明の詳細な説明】
【技術分野】
【０００１】
本発明は、上下一対のパレット間にスリーブを立ち上げた組立て状態で使用され、未使用時には両パレットとスリーブが分離する状態に分解可能な組立て式コンテナに関し、詳しくは、前記両パレットとスリーブを着脱自在に連結するジョイント手段の改良に関する。
【背景技術】
【０００２】
上下一対の合成樹脂製パレットと段ボール製のスリーブからなり、それら両パレットの周縁部間にスリーブが立ち上がる組立て状態で使用する一方、未使用時には両パレットとスリーブを分離させ、スリーブを折り畳んだ状態で搬送するようにした組立て式コンテナが知られている（例えば特許文献１参照）。
【０００３】
またこの種組立て式コンテナにおいて、前記両パレットとスリーブを分離可能に連結するジョイント手段として、例えば特許文献２に開示されるように、スリーブの上下縁付近に係合孔を設け、パレットにはその係合孔に抜き差し自在に挿入される係止突片を進退自在に付設すると共に、この係止突片が係合孔に差し込まれた状態を保持する手段を設け、係止突片を係合孔に差し込むことでスリーブとパレットが連結されるようにしたものが知られている。
【０００４】
【特許文献１】特開２００１−２２５８９０号公報
【特許文献２】実開昭６２−１１０１９０号公報
【発明の開示】
【発明が解決しようとする課題】
【０００５】
ところで、上記した従来のジョイント手段は、係止突片の基端部に円筒状の操作部を一体に設けると共に、パレットにこの円筒状操作部が遊嵌するガイド孔を設け、このガイド孔を、長さ方向中央部に縊部を有し円筒状操作部の外径と略同径の二つの円孔を縊部で連続させた大略繭形に形成して、係止突片が係合孔に差し込まれた状態で円筒状操作部が一方の円孔内に位置すると共に、縊部によりその状態を保持するよう構成している。
よって、パレットとスリーブを連結させる若しくはその連結を解除するには、円筒状操作部が縊部を強制的に通過するだけの力をもって係止突片を進退させなければならず、その進退操作は円筒状操作部に指等を引っ掛けて行うので、操作性に優れるとは言い難いものであった。
また、前記ガイド孔をパレットに形成すると共にそのガイド孔により係止突片を進退自在に保持するには、パレット形成用の大寸の樹脂シートの所定箇所に係止突片を位置決めして載承し、その上にガイド孔形成用の小寸の樹脂シートを重ねて成形型内で一体成形しなけらばならず、パレットの成形と係止突片の装着に手間がかかり、その分だけコスト高になるという不具合があった。
【０００６】
本発明はこのような従来事情に鑑みて成されたもので、その目的とする処は、上下のパレットとスリーブを連結、分離するためのジョイント手段の操作が容易であり、且つジョイント手段をパレットに容易に装着でき、効率良く組立て、分解作業を行えると共に低コストで提供可能な新規な組立て式コンテナを提供することにある。
【課題を解決するための手段】
【０００７】
以上の目的を達成するために、本発明に係る組立て式コンテナは、天井部と底壁部を構成する上下一対のパレットの周縁部間にスリーブを立ち上げると共に、該スリーブの上下の縁部を前記上下のパレットの周縁部に、ジョイント部材で着脱自在に連結してなり、前記ジョイント部材が、前記スリーブの上下の縁部に固定されるジョイント本体と、該ジョイント本体から突出して前記上下のパレットの周縁部に設けた挿入孔に挿入される挿入子と、該挿入子における前記挿入孔の外側に突出する先端部に係脱自在に係合して該挿入子の抜けを防止する係止手段と、を備えたことを特徴とする。
【０００８】
このように構成した場合、スリーブの上下の縁部にジョイント本体を固定すると、該スリーブの上下縁部から挿入子が突出し、上下パレットの周縁部間にスリーブを立ち上げると、前記挿入子が該周縁部の挿入孔に挿入され、その先端部が該周縁部の外側に突出する。そして、上パレットの周縁部の上側、下パレットの周縁部の下側に夫々突出する挿入子先端部に係止手段を係合させれば、該挿入子の抜けが防止され、上下パレットの周縁部間にスリーブを立ち上げた連結状態、すなわちコンテナの組立て状態が維持される。係止手段を挿入子先端部から外し、挿入子を前記挿入孔から引き抜けば、上下のパレットとスリーブの連結状態が解除され、コンテナが分解される。
【０００９】
より具体的には、前記ジョイント本体が、前記スリーブの内面に沿う内面板と、該内面板の端部に折り曲げ自在に連設され前記スリーブの上端面又は下端面に沿う端面板と、該端面板の端部に折り曲げ自在に連設され前記スリーブの外面に沿う外面板と、前記内面板と外面板の対向箇所に突設され、前記スリーブに設けた開口部内で嵌合して前記ジョイント本体を前記スリーブの上下縁部に固定する凹凸係合手段と、からなり、前記挿入子が、前記端面板に突設されていることが好ましい。
【００１０】
このように構成した場合、ジョイント本体が、内面板、端面板、外面板、挿入子を備えた一部品（ワンピース）になり、内面板と外面板でスリーブ壁面を挟んで凹凸係合手段を嵌合させるだけの簡単な操作でスリーブに固定することができる。
【００１１】
前記係止手段が、前記外面板の端部に折り曲げ自在に連設された連設板と、該連設板の端部に連設され前記挿入子の先端部に係脱自在に弾性係合する係止片からなることが好ましい。
【００１２】
このように構成した場合、ジョイント本体と係止手段が連設された一部品（ワンピース）になり、コンテナ分解時にジョイント本体から離間する係止手段の管理が容易になる。
【００１３】
前記上下のパレットと前記ジョイント部材が硬質合成樹脂からなり、前記スリーブが多層段ボールからなることが好ましい。
【００１４】
この場合、所定の耐久性、耐荷重強度を備えた軽量で繰り返し使用が可能なリターナブルコンテナにおいて、前述した夫々の効果を得ることができる。
【発明の効果】
【００１５】
本発明に係る組立て式コンテナは以上説明したように構成したので、上パレットの周縁部の上側、下パレットの周縁部の下側に突出する挿入子の先端に、係止手段を係脱させるだけの簡単な操作で、上下パレットとスリーブの連結、分離を行うことが出来る。しかも、係止手段の係脱操作をスリーブ壁面の前方で行うことができるので、組立て、分解を極めて効率良く行うことができるなど、多くの効果を有する。
また、請求項２では、一部品としたジョイント本体を簡単な操作でスリーブに固定することが出来、請求項３では、ジョイント本体と係止手段を一部品として部品管理を容易ならしめ、より低コストでの提供を可能にする等の効果を有する。
請求項４では、硬質合成樹脂製パレットと多層段ボール製スリーブにより所望の耐久性，強度等を備え、且つスリーブを多層段ボール製とすることで、搬送，保管時等に折り畳むスリーブが永年の使用に伴い損傷した場合などの交換に掛かるコストを低減したリターナブル容器としての組立て式コンテナにおいて、前述した夫々の効果を得ることができる。
【発明を実施するための最良の形態】
【００１６】
以下、本発明に係る組立て式コンテナの実施形態の一例を図面を参照しながら説明する。図１は本例の組立て式コンテナＡの全体図を示し、該組立て式コンテナＡは、天井部と底壁部を構成する上下一対のパレット１，１’の周縁部１ａ，１ａ’間に沿ってスリーブ２を立ち上げて胴部を構成したもので、両パレット１，１’とスリーブ２は複数のジョイント部材３により分離可能に連結されている。
【００１７】
上下のパレット１，１’は、天井部又は底壁部となる四角形状の構成板の周縁部１ａの外縁に起立面１ｂを備えると共に、下側パレット１にあっては適所に脚部１ｃが膨出するよう、所望の剛性を有する硬質合成樹脂により一体成形されたもので、前記起立面１ｂの内側に沿ってスリーブ２の各壁面２ａが立ち上がるようになっている。
下パレット１における隣り合わせる脚部１ｃ，１ｃ間の隙間は、フォークリフトのフォークの差込空間として機能するようになっている。
【００１８】
スリーブ２は多層段ボールからなる四角筒状のもので、図示するように各壁面２ａが上下パレット１，１’の起立面１ｂ内側に沿って立ち上がる四角筒状を成す状態と、角部の稜線を折線として扁平状に折り畳まれる状態（不図示）とに変形自在に形成されている。
【００１９】
スリーブ２の対向する壁面２ａには、その上下の縁部にジョイント部材３が装着されており、各ジョイント部材３において、後述する係止片１９が挿入子８に係合する状態にあるときは上下のパレット１，１’とスリーブ２が連結されてコンテナＡの組立て状態が維持され（図２参照）、係止片１９と挿入子８の係合が外れた状態にあるときは上下のパレット１，１’とスリーブ２の連結が解除されコンテナＡが分解可能になる（図３参照）よう形成されている。
【００２０】
上下のパレット１，１’の周縁部１ａには、後述する挿入子８が抜き差し自在に挿入される挿入孔４が形成されている。また、スリーブ１の各壁面２ａの上下縁部には、ジョイント部材３のジョイント本体７を装着するための開口５と切欠き６が形成されている。
【００２１】
図２〜図８はジョイント部材３の詳細を示し、ジョイント部材３は、所望の剛性を有する硬質合成樹脂により一体成形されたもので、スリーブ１の上下縁部に固定されるジョイント本体７と、ジョイント本体７から突出して前記挿入孔４に挿入される挿入子８と、挿入子８の先端部８ａに係脱自在に係合して挿入子８の抜けを防止する係止手段９を一体に備えている。
【００２２】
ジョイント本体７は、スリーブ１の内面に沿う内面板１０と、内面板１０の端部に設けた折縁１０ａを介して折り曲げ自在に連設されスリーブ１の上端面又は下端面に沿う端面板１１と、端面板１１の端部に設けた折縁１１ａを介して折り曲げ自在に連設されスリーブ１の外面に沿う外面板１２と、内面板１０と外面板１２の対向箇所に突設され、前記開口５又は切欠き６内で嵌合してジョイント本体７をスリーブ１の上下縁部に固定する凹凸係合手段からなる。端面板１１には挿入子８が一体に突設されている。
【００２３】
凹凸係合手段は、前記開口５内で嵌合するよう内面板１０と外面板１２の対向箇所に設けた係合凸部１３及び被係合部１４と、前記切欠き６内で嵌合するよう内面板１０と外面板１２の対向箇所に設けた係合凸部１５及び被係合部１６からなり、係合凸部１３，１５と被係合部１４，１６の弾性係合により、内面板１０と外面板１２でスリーブ壁面２ａを挟む状態（図２，図３参照）が維持されて、ジョイント本体７がスリーブ２に固定されるようになっている。
【００２４】
ジョイント本体７に連設された係止手段９は、外面板１２の端部に設けた折縁１２ａを介して折り曲げ自在に連設された連設板１８と、連設板１８の端部に連設され挿入子８の先端部８ａに係脱自在に弾性係合する係止片１９からなり、外面板１２の外側に重なる連設板１８の端部に位置する係止片１９が挿入子先端部８ａに係合し（図２参照）、これにより、挿入子８の挿入孔４からの抜けを防止するようになっている。
【００２５】
連設板１８は、挿入子８に対する係止片１９の係脱操作を容易に行えるよう、中途部に設けた折縁１８ａで基端面１８ｂと先端面１８ｃに区分けされ、基端面１８ｂに設けた係合凸部２０は外面板１２に設けた被係合部２１に係合して外面板１２に重なる状態が維持される一方、先端面１８ｃのみが折り曲げ自在になっている。
【００２６】
以上の構成になる本例の組立て式コンテナＡは、図１に示す組立て状態において、上下のパレット１，１’の周縁部１ａ，１ａ’間に四角筒状のスリーブ２が立ち上がり、該スリーブ２と各パレット１，１’が各ジョイント部材３で連結され（図２参照）、組立て状態が維持されている。
【００２７】
コンテナＡを分解するときは、図３に示すように、各ジョイント部材３において、連設板１８の先端面１８ｃを前方に引き、係止片１９と挿入子８の係合を外す。この状態で、スリーブ２とパレット１又は１’の連結が解除されるので、スリーブ２をパレット１，１’から外すことができる。外されたスリーブ２は稜線に沿って扁平状に折り畳まれ、パレット１，１’と共に積み重ねて搬送、保管することができる。
またこのとき、各ジョイント部材３において、係止手段９である連設板１８，係止片１９はジョイント本体７と共にスリーブ２に装着されているので、紛失するような虞れがなく、管理も容易である。
【００２８】
コンテナＡを組立てる際は、パレット１，１’の周縁部１ａ，１ａ’間に四角筒状のスリーブ２を立ち上げると共に、挿入孔４に挿入子８を挿入した後、各ジョイント部材３において、連設板１８の先端面１８ｃをパレット１，１’に向けて押し込めば、係止片１９が挿入子８に係合する。この状態で、挿入子８の挿入孔４からの抜けが防止され、スリーブ２とパレット１又は１’が連結されるので、コンテナＡｎ組立て状態が維持される。
尚、前述した連設板１８の先端面１８ｃを前方に引く操作、及び、同先端面１８ｃをパレット１，１’に向けて押し込む操作は、スリーブ壁面２ａの前方にて容易に行うことができる。
【００２９】
以上、本発明の実施形態の一例を図面を参照して説明したが、本発明に係る組立て式コンテナは図示例に限定されるものではなく、各請求項に記載される技術的思想の範疇において種々の変更が可能であることは言うまでもない。
【図面の簡単な説明】
【００３０】
【図１】本発明に係る組立て式コンテナの実施形態の一例を示す斜視図。
【図２】図１に係るジョイント部材の拡大縦断側面図で、スリーブとパレットを省略して示す。
【図３】図２に係るジョイント部材の連結解除位置への変形状態を示す拡大縦断側面図。
【図４】ジョイント部材の拡大縦断側面図。
【図５】ジョイント部材の拡大平面図。
【図６】図５の（Ｘ）−（Ｘ）線に沿う断面図。
【図７】図５の（Ｙ）−（Ｙ）線に沿う断面図。
【図８】図５の（Ｚ）−（Ｚ）線に沿う断面図。
【符号の説明】
【００３１】
Ａ：組立て式コンテナ
１，１’：パレット
１ａ：周縁部
２：スリーブ
２ａ：壁面
３：ジョイント部材
４：挿入孔
７：ジョイント本体
８：挿入子
９：係止手段
１０：内面板
１１：端面板
１２：外面板
１３，１６：係合凸部（凹凸係合手段）
１４，１７：被係合部（凹凸係合手段）
１８：連設板
１９：係止片
【図１】
2006199349.tif 000003
【図２】
2006199349.tif 000004
【図３】
2006199349.tif 000005
【図４】
2006199349.tif 000006
【図５】
2006199349.tif 000007
【図６】
2006199349.tif 000008
【図７】
2006199349.tif 000009
【図８】
2006199349.tif 000010